(57)【特許請求の範囲】
【請求項１】
開口が上へ向いている空間が内部に形成され、底部に出口を有する本体と、
前記本体の開口をカバーするキャップと、
前記本体の内部に設置されている筒体を有し、前記筒体の底端に本体の出口と連接する出水孔を有し、前記出水孔の上方に水止段を有し、前記水止段の周縁に少なくとも一つの孔を有し、自在に活動可能な軸が筒体の内部を貫通し設けられ、前記軸の底端に水止段の内縁面の形状と互いに補い合うプラグが設けられ、前記出水孔の通路を遮断可能であり、プラグが孔と対応する所に前記筒体内部と連通するノッチを有しているので、水は前記ノッチを経由し前記筒体内部に流れ込み出水孔まで流れることができず、昇降自在な浮き体が前記軸に嵌め設けられ、前記軸の上段には前記浮き体の活動を制限する直径の大きい突部を有する自動オープン装置と、
を備えることを特徴とするお茶入れ用容器。
【請求項２】
前記筒体の下段と前記本体の内縁の底面との間に設けられ、異物の流入により前記筒体および前記本体の通路が塞がれることを防止するろ過網をさらに備えることを特徴とする請求項１記載のお茶入れ用容器。
【請求項３】
前記筒体は、前記出水孔と前記水止段との間に円錐段を有し、前記円錐段の周縁に少なくとも一つの入水孔を有し、前記軸の底端から前記筒体の円錐段に延伸する所には形状が前記円錐段の内縁面と互いに補い合う水止プラグを有することを特徴とする請求項１記載のお茶入れ用容器。
【請求項４】
前記本体の外縁に少なくとも一つの環状の止め部を有し、前記筒体の頂面に少なくとも一つの通気孔を有し、前記浮き体の頂縁に磁石が設けられ、前記筒体の頂面の内縁には前記浮き体に設けられている前記磁石と互いに吸引できる磁石が設けられていることを特徴とする請求項１記載のお茶入れ用容器。
【発明の詳細な説明】
【０００１】
【発明の属する技術分野】
本発明は、お茶入れ用容器に関し、特に、プラグを自動的にオープンして水を排出する時間を調整でき、お茶などを入れる時間が長すぎることを回避できるお茶入れ用容器に関する。
【０００２】
【従来の技術】
図１１に示すのは、コップ体８１と、ろ過網８２と、係止盤８３となどから構成されているお茶入れ用容器であり、前記ろ過網８２は前記コップ体８１内に設置され、コップ底８１１は円錐状であり中央に貫通孔８１２を有する。なお、プラグ８４は自重で前記貫通孔８１２を塞ぎ、コップ体８１の下段には上下に移動可能な係止盤８３が嵌め設けられ、前記係止盤８３は中空状であり十字状のリブ８３１を有し、前記リブ８３１の中央部にはプラグ８４から下方に延伸するピン８４１の差込に提供される孔８３２を有する。係止盤８３が上へ上げられるとき、ピン８４１はプラグ８４を上げ、貫通孔８１２は流通できるようになり、コップ体８１内の水を前記貫通孔８１２から排出できる。
【０００３】
このタイプのお茶入れ用容器は、全て利用者が自分でお茶を入れる時間を判断することが必要であり、利用者はお茶葉およびお湯をコップ体８１に入れた後、所定の時間待ってから、コップ体８１をコップ９の開口に置き、図１２に示すように、係止盤８３を押し、上へ移動してプラグ８４を上げ、コップ体８１内に入れたお茶を貫通孔８１２からコップ９中に流出させる。しかし、このお茶を入れる過程中に、利用者が突然用事により離れる、又は忙しすぎてお茶を入れた時間を忘れると、お茶葉はコップ体８１内に長時間浸され、お茶は渋くなり、飲み難くなる。
【０００４】
【発明が解決しようとする課題】
本発明の主要な目的は、筒体の水止段内に出水孔の通路を遮断するプラグが設けられ、前記プラグが水止段の周縁における孔と対応する所に筒体内部と連通するノッチを有し、筒体内のプラグと連接する軸には浮き体が嵌め設けられていることで、水が水止段の孔からノッチを経由し筒体内に流入した後、浮き体を上昇させることができ、また、軸の上段には浮き体の上昇を制限する直径のより大きい突部を有し、浮き体が上昇すると軸を連動しプラグを上昇させるため、出水孔は本体の内部と連通し、本体内の水を出水孔から排出でき、自動的にオープンする効果を達成するお茶入れ用容器を提供することにある。
【０００５】
本発明はの別の目的は、水止段に複数の孔を有し、前記孔と対応しプラグも複数のノッチを有し、軸でプラグを旋回し、プラグにおけるノッチが前記孔と合う数を変化させることにより、浮き体の上昇時間を変化させ、自動的にオープンする時間を調整できる効果を達成するお茶入れ用容器を提供することにある。
【０００６】
【課題を解決するための手段】
上記目的を達成するための本発明の請求項１記載のお茶入れ用容器は、開口が上へ向いている空間が内部に形成され、底部に出口を有する本体と、本体の開口をカバーするキャップと、本体内に設置されている筒体を有し、筒体の底端に本体の出口と連接する出水孔を有し、出水孔の上方に水止段を有し、水止段の周縁に少なくとも一つの孔を有し、自在に活動可能な軸が筒体の内部を貫通し設けられ、軸の底端には水止段の内縁面の形状と互いに補い合うプラグが設けられ、出水孔の通路を遮断することができ、プラグが孔と対応する所には筒体内部と連通するノッチを有するため、水はノッチを経由し筒体内部に流れ込み、出水孔まで流れることができず、昇降自在な浮き体が軸に嵌め設けられ、軸の上段には浮き体の活動を制限する直径の大きい突部を有する自動オープン装置とを備える。
【０００７】
本発明の請求項２記載のお茶入れ用容器は、筒体の下段と本体の内縁の底面との間に設けられ、異物の流入により筒体および本体の通路が塞がれることを防止するろ過網をさらに備える。
本発明の請求項３記載のお茶入れ用容器では、筒体は、出水孔と水止段との間に円錐段を有し、円錐段の周縁に少なくとも一つの入水孔を有し、軸の底端から筒体の円錐段まで延伸する所には形状が円錐段の内縁面と互いに補い合う水止プラグを有する。
【０００８】
本発明の請求項４記載のお茶入れ用容器では、本体の外縁に少なくとも一つの環状の止め部を有し、筒体の頂面に少なくとも一つの通気孔を有し、前記浮き体の頂縁には磁石が設けられ、筒体の頂面の内縁には浮き体に設けられている磁石と互いに吸引できる磁石が設けられている。
【０００９】
【発明の実施の形態】
以下、本発明の実施例を図面に基づいて説明する。
図１から図６に示すように、本発明の一実施例によるお茶入れ用容器は、本体１、キャップ２および自動オープン装置を含む。
本体１は、開口が上へ向く空間１１が内部に形成され、底部に出口１２を有し、上段と下段の外縁には別々に環状を呈した止め部１３および止め部１４を有する。
【００１０】
キャップ２は、前記本体１の開口をカバーする。
自動オープン装置は、前記本体１内に設置された筒体３１を有し、前記筒体３１の底端に本体１の出口１２と連接する出水孔３２を有し、前記出水孔３２の上方に円錐段３３を有し、前記円錐段３３が筒体３１と接触する所に水止段３４を有する。なお、自在に活動可能な軸３５が筒体３１の内部を貫通し設けられ、前記軸３５の底端には円錐段３３の内縁面の形状と互いに補い合う水止めプラグ３６が設けられ、前記軸３５の底段には軸方向に延伸する溝３５１を有する。そして、比重が水より大きい材質で作製されている水止キャップ３７が前記軸３５に嵌め設けられ、前記水止キャップ３７の軸３５における溝３５１と対応する所には前記水止キャップ３７の旋回を制限するための突部３７１を有する。なお、前記水止キャップ３７の外径は筒体３１の内径よりやや小さく、前記円錐段３３の周縁に複数の入水孔３３１を有し、前記水止段３４は複数の孔３４１を有し、前記水止キャップ３７の孔３４１と対応する所にはそれぞれ前記筒体３１の内部に連通するノッチ３７２を有する。これにより、水はノッチ３７２を経由し筒体３１の内部に流入し、出水孔３２から流出できない。なお、昇降自在な浮き体３８が前記軸３５に嵌め設けられ、前記浮き体３８の頂縁には磁石３８１が設けられ、軸３５の上段には前記浮き体３８の活動を制限するための直径がより大きい突部３５２を有し、前記筒体３１の頂面３１１の内縁には浮き体３８の頂縁に設けられている磁石３８１と互いに吸引できる磁石３１２が設けられ、前記筒体３１の頂面３１１は通気孔３１３を有する。さらに、前記筒体３１の下段と本体１の内縁の底面との間にはろ過網が設けられ、お茶葉などの異物の流入により筒体３１および本体１の通路が塞がれることを防止している。
【００１１】
図４から図６に示すように、使用時には、本体１の止め部１３および止め部１４をポットの開口又はコップの開口に定位し、本実施例では、本体１の止め部１３をポット４の開口に定位し、お茶葉などのものを本体１内に入れる。お湯を注ぐ前に、利用者は軸３５で水止キャップ３７を旋回し、水止キャップ３７のノッチ３７２を水止段の孔３４１に合せる。本実施例では、筒体３１を透明なもので作製することで、利用者が水止キャップ３７の位置をはっきりと見えるようにしている。したがって、お湯を本体１中に注ぎ、利用者は必要に応じ前記ノッチ３７２と孔３４１との合う数を選択することにより、孔３４１で流通できる数を変更でき、本体１内の水が孔３４１からノッチ３７１を経由し筒体３１内に流入する。孔３４１とノッチ３７２との断面積はより小さく設計されているので、水はゆっくりと筒体３１内部に流入する。図４に示すように、出水孔３２は水止プラグ３６に閉鎖されるので、筒体３１内の液面はどんどん上がり、浮き体３８が上昇し、図５に示すように、筒体３１内の液面が所定の高度に到達し浮き体３８が軸３５の突部３５２に当接すると、浮き体３８の頂面の磁石３８１は筒体３１の頂面３１１における磁石３１２と互いに吸引し、磁力で浮き体３８を急に上げる力により浮き体３８の上昇力を増大する。浮き体３８は突部３５２を介し軸３５を上げ、水止プラグ３６を円錐段３３から離脱させた後、水止キャップ３７を連動して水止段３４から上へ離脱させる。これにより、筒体３１と入水孔３３１と出水孔３２との間に通路が形成され、本体１内のお茶は出水孔３２から排出してポット４内に流入し、図６に示すように、本実施例のお茶入れ用容器は定時に自動的に水止プラグ３６をオープンし、本体１内のお茶を排出することができ、浸し過ぎによりお茶が渋くなる問題を解消することできる。そして、利用者はニーズにより、軸３５を旋回し、水止キャップ３７におけるノッチ３７２を水止段３４における孔３４１を全数に合わせないことにより水止段３４における孔３４１を完全に閉鎖し、水止プラグ３６が自動的にオープンする機能を停止することができる。
【００１２】
前述したように、水止段３４における孔３４１は水止キャップ３７のノッチ３７２の位置により水の筒体３１内への流量を制御することができ、筒体３１内の軸３５には浮き体３８が嵌められているため、水は水止段３４における孔３４１からノッチ３７２を経由し筒体３１内に流入し、浮き体３８を上昇させることができる。なお、浮き体３８における磁石３８１が筒体３１の頂面３１１における磁石３１２を吸引し、浮き体３８を上昇させることにより、軸３５における直径のより大きい突部３５２が軸３５を上げ、水止プラグ３６を円錐段３３から離脱させ、筒体３１内部と円錐段３３における入水孔３３１と出水孔３２との間を連通状態にし、本体１内のお茶を出水孔３２から排出することができるため、定時に自動的にオープンする効果を達成することができる。
【００１３】
図７から図１０に示すように、利用者は軸３５で水止キャップ３７を旋回し、水止キャップ３７における各ノッチ３７２が水止段３４における孔３４１に合う数を変化させることにより、水の筒体３１内への流量を調整し、水止プラグ３６の自動的にオープンする時間の長さを変化させるとができ、利用者は好きなように異なる濃度のお茶を賞味することができる。
【００１４】
【発明の効果】
本発明は下記の効果を有する。
（イ）本発明によれば、入れたお茶を定時に自動的に排出することができるため、浸しすぎによりお茶が渋くなることを解消できる。
（ロ）利用者は、筒体内の軸を旋回することにより水止プラグの自動的にオープンする時間の長さを調整することができ、好きなように異なる濃度のお茶を賞味することができる。
【図面の簡単な説明】
【図１】本発明の一実施例によるお茶入れ用容器を示す分解斜視図である。
【図２】本発明の一実施例によるお茶入れ用容器を示す断面図である。
【図３】本発明の一実施例によるお茶入れ用容器の筒体および本体の底部を示す模式図である。
【図４】本発明の一実施例によるお茶入れ用容器の使用状態を示す模式図（一）である。
【図５】本発明の一実施例によるお茶入れ用容器の使用状態を示す模式図（二）である。
【図６】本発明の一実施例によるお茶入れ用容器の使用状態を示す模式図（三）である。
【図７】本発明の一実施例によるお茶入れ用容器の水止キャップの制御により水止段の孔が全開している状態を示す模式図である。
【図８】本発明の一実施例によるお茶入れ用容器の水止キャップの制御により水止段の孔の一部分が開いている状態を示す模式図（一）である。
【図９】本発明の一実施例によるお茶入れ用容器の水止キャップの制御により水止段の孔の一部分が開いている状態を示す模式図（二）である。
【図１０】本発明の一実施例によるお茶入れ用容器の水止キャップの制御により水止段の孔が全閉している状態を示す模式図である。
【図１１】従来のお茶入れ用容器の構造を示す模式図である。
【図１２】従来のお茶入れ用容器の使用状態を示す模式図である。
【符号の説明】
１    本体
２    キャップ
３    自動オープン装置
４    ポット
１１    空間
１２    出口
１３、１４    止め部
３１    筒体
３２    出水孔
３３    円錐段
３４    水止段
３５    軸
３６    水止プラグ
３７    水止キャップ
３８    浮き体
３９    ろ過網
３１１    頂面
３１２    磁石
３１３    通気孔
３３１    入水孔
３４１    孔
３５１    溝
３５２    突部
３７１    突部
３７２    ノッチ
３８１    磁石
【図１】
0003619810.tif 000002
【図２】
0003619810.tif 000003
【図３】
0003619810.tif 000004
【図４】
0003619810.tif 000005
【図５】
0003619810.tif 000006
【図６】
0003619810.tif 000007
【図７】
0003619810.tif 000008
【図８】
0003619810.tif 000009
【図９】
0003619810.tif 000010
【図１０】
0003619810.tif 000011
【図１１】
0003619810.tif 000012
【図１２】
0003619810.tif 000013